(57)【要約】【課題】需要家宅を作業停電させる際の作業ミスを防ぐことが可能なサージアブソーバおよびサージアブソーバ用固定装置を提供する。【解決手段】サージアブソーバ１は、接続子１１およびサージ吸収回路が設けられた本体部１２と、本体部１２の両側面に設けられた一対の挟持アーム２を備える。挟持アーム２は、電力量計７の幅方向に延びる第１のアーム部２１と、第１のアーム部２１から電力量計７に向けて延びる第２のアーム部２２と、第２のアーム部２２から電力量計７の側面に向けて延びる第３のアーム部２３とを備え、電力量計７をその両側面側から挟み込むことにより、接続子１１が二次側端子７３ｂに接触するように本体部１２を固定する。【選択図】図２
2018124245.tif 000002
【特許請求の範囲】
【請求項１】
電力量計あるいはブレーカの端子に当接される接続子と、前記接続子を保持する本体部と、前記本体部に収容されて前記接続子と接続し、前記接続子を介して前記端子からサージを吸収するサージ吸収回路と、を備えるサージアブソーバであって、
前記接続子が前記端子に当接するように前記本体部が配されている状態で、前記本体部から前記電力量計あるいは前記ブレーカの幅方向に延びる第１のアーム部と、前記第１のアーム部から前記電力量計あるいは前記ブレーカに向けて延びる第２のアーム部と、前記第２のアーム部から前記電力量計あるいは前記ブレーカの側面に向けて延びる第３のアーム部と、を備える一対の挟持アームを備え、
前記第３のアーム部で前記電力量計あるいは前記ブレーカをその両側面側から挟み込み、前記本体部を前記電力量計あるいは前記ブレーカに固定する、
ことを特徴とするサージアブソーバ。
【請求項２】
前記第２のアーム部は、前記電力量計あるいは前記ブレーカの幅方向に移動自在であり、前記本体部に対する角度が調節可能なように前記第１のアーム部に保持されていて、かつ伸縮自在である、
ことを特徴とする請求項１に記載のサージアブソーバ。
【請求項３】
電力量計あるいはブレーカの端子に当接される接続子と、前記接続子を保持する本体部と、前記本体部に収容されて前記接続子と接続し、前記接続子を介して前記端子からサージを吸収するサージ吸収回路と、を備えるサージアブソーバを、前記電力量計あるいは前記ブレーカに固定するサージアブソーバ用固定装置であって、
前記接続子が前記端子に当接するように前記本体部が配されている状態で、前記本体部から前記電力量計あるいは前記ブレーカの幅方向に延びる第１のアーム部と、前記第１のアーム部から前記電力量計あるいは前記ブレーカに向けて延びる第２のアーム部と、前記第２のアーム部から前記電力量計あるいは前記ブレーカの側面に向けて延びる第３のアーム部と、を備える一対の挟持アームと、
前記一対の挟持アームを前記本体部に着脱自在に取り付ける取付部と、
を備え、
前記第３のアーム部で前記電力量計あるいは前記ブレーカをその両側面側から挟み込み、前記本体部を前記電力量計あるいは前記ブレーカに固定する、
ことを特徴とするサージアブソーバ用固定装置。
【発明の詳細な説明】
【技術分野】
【０００１】
本発明は、需要家宅の配電作業の際に使用されるサージアブソーバと、サージアブソーバを電力量計等に固定するサージアブソーバ用固定装置とに関するものである。
【背景技術】
【０００２】
電力の需要家宅で電力量計を交換する等の配電作業を行う場合に、需要家宅への電力供給（電源）を遮断して停電状態（以下、この停電状態を作業停電という）にしてから作業が行われるが、この電源遮断時および作業後の電源再供給時にサージ（過渡的な電圧上昇）が発生し、需要家宅の電気機器が誤動作したり、故障したりすることがある。サージは、例えば、需要家宅でリアクトル成分が大きな電気機器（例えばグロー式蛍光灯や冷蔵庫、エアコンなど）が可動している状態で電源を遮断した場合に、このリアクトル成分の大きな電気機器から残留しているエネルギが放出されることによって発生し、このサージが需要家宅の配線を通じて別の電気機器の回路に流れることにより、電気機器の誤作動や故障が発生する。
【０００３】
サージによる電気機器の故障などを防ぐために、需要家宅の電源遮断時には、サージを吸収するサージアブソーバが使用されている。サージアブソーバには、電力量計などの端子と接続される接続子に、いわゆるワニ口クリップを使用するクリップ式（例えば、特許文献１参照）の他、ピン状の接続子を端子へ接触させる接触式などがある（例えば、特許文献２参照）。クリップ式は、振動や衝撃によってクリップが端子から外れてしまうことがあるので、端子との接触状態を確認しながら作業を行うことが可能な接触式がよく用いられる。
【０００４】
図６は、接触式のサージアブソーバ６であり、例えば、サージを吸収するサージ吸収回路（図示せず）が収容された箱状の本体部６２と、本体部６２の正面側から突出された単相３線用の３本のピン状の接続子６１とを備えている。接続子６１は、本体部６２内でサージ吸収回路に接続されており、また、接触させる端子に合わせて位置が調整できるように、本体部６２の幅方向でスライド自在となっている。需要家宅で発生したサージは、接続子６１を通ってサージ吸収回路に吸収される。
【０００５】
図７は、需要家宅の一般的な配線例を示す概略図であり、同図（Ａ）に示す需要家宅Ｈ１の屋外には、電力会社側の電線が一次側（電源側）端子に接続された電力量計７と、電力量計７の二次側（負荷側）端子に接続された屋外ブレーカ８とが設置され、屋内には、屋外ブレーカ８の二次側端子に接続された屋内ブレーカ９を介して、照明やエアコン、冷蔵庫などの電気機器１０が接続されている。また、同図（Ｂ）に示す、別の需要家宅Ｈ２の屋外には、電力量計７が設置され、屋内には屋内ブレーカ９を介して各種電気機器１０が接続されている。需要家宅Ｈ１と需要家宅Ｈ２の違いは、屋外ブレーカ８の有無である。
【０００６】
上述した接触式のサージアブソーバ６を使用して、需要家宅Ｈ１を作業停電させる場合には、屋外ブレーカ８の二次側端子にサージアブソーバ６の接続子６１を接触させ、その状態で屋外ブレーカ８の操作部を「切」側へ操作する。これにより、リアクトル成分の大きな電気機器１０から放出されたサージは、サージアブソーバ６により吸収される。また、需要家宅Ｈ２を作業停電させる際に需要家が在宅している場合には、屋内ブレーカ９を使用することができるので、屋内ブレーカ９の二次側端子にサージアブソーバ６の接続子６１を接触させ、その状態で屋内ブレーカ９の操作部を「切」側へ操作する。このように、ブレーカ８、９を操作して需要家宅を作業停電させる場合には、比較的簡単に作業を行うことが可能である。
【０００７】
これに対し、需要家宅Ｈ２を作業停電させる際に需要家が在宅していない場合には、屋内ブレーカ９を使用することはできないので、電力量計７で電源を遮断しなければならない。電力量計７は、図８に示すように、需要家宅の電力使用量を計量する計量部７１と、計量結果などを表示する表示部７２と、一次側および二次側の電線７４ａ、７４ｂが接続される端子部７３とを備える。端子部７３には、正面側から向かって左側に一次側の電線７４ａが接続される単相３線用の３つの一次側端子７３ａが配設され、右側には二次側の電線７４ｂが接続される単相３線用の３つの二次側端子７３ｂが配設されている。端子部７３の図示しない下面には、一次側電線７４ａおよび二次側電線７４ｂが挿入される端子穴（図示せず）が各端子に対応して設けられている。端子穴に挿入された電線７４ａ、７４ｂは、端子７３ａ、７３ｂに螺合されたネジによって固定されている。このような電力量計７で需要家宅を作業停電させる場合には、サージアブソーバ６の接続子６１を電力量計７の二次側端子７３ｂに接触させ、その状態でドライバＤを操作して一次側端子７３ａのネジを緩め、一次側端子７３ａから電線７４ａを引き抜かなければならない。
【先行技術文献】
【特許文献】
【０００８】
【特許文献１】特開２００５−３４７３０９号公報
【特許文献２】特開２００９−２００３２７号公報
【発明の概要】
【発明が解決しようとする課題】
【０００９】
しかしながら、電力量計７で需要家宅Ｈ２を作業停電させる場合、作業者は片手でサージアブソーバ６を把持し、もう片方の手でドライバＤを操作して一次側電線７４ａを引き抜かなければならないので、サージアブソーバ６の把持をミスして接続子６１が二次側端子７３ｂからズレたり、一次側端子７３ａから引き抜いた電線７４ａを短絡させてしまうことがある。また、電力量計７は、向かって左側に一次側端子７３ａが配置され、右側に二次側端子７３ｂが配置されているので、右利きの作業者が作業を行う場合には、左手でサージアブソーバ６を把持して、右手でドライバＤを操作することになり、左右の手が交差してしまうので作業がより難しくなる。さらに、配電作業時には、低圧作業用の手袋を着用する等の感電防止措置が必要であり、素手で作業を行う場合よりも作業がしにくくなるので、より作業ミスが発生しやすくなる。
【００１０】
本発明は、上記課題を解決するために、需要家宅を作業停電させる際の作業ミスを防ぐことが可能なサージアブソーバおよびサージアブソーバ用固定装置を提供することを目的とする。
【課題を解決するための手段】
【００１１】
上記課題を解決するために、請求項１に記載の発明は、電力量計あるいはブレーカの端子に当接される接続子と、前記接続子を保持する本体部と、前記本体部に収容されて前記接続子と接続し、前記接続子を介して前記端子からサージを吸収するサージ吸収回路と、を備えるサージアブソーバであって、前記接続子が前記端子に当接するように前記本体部が配されている状態で、前記本体部から前記電力量計あるいは前記ブレーカの幅方向に延びる第１のアーム部と、前記第１のアーム部から前記電力量計あるいは前記ブレーカに向けて延びる第２のアーム部と、前記第２のアーム部から前記電力量計あるいは前記ブレーカの側面に向けて延びる第３のアーム部と、を備える一対の挟持アームを備え、前記第３のアーム部で前記電力量計あるいは前記ブレーカをその両側面側から挟み込み、前記本体部を前記電力量計あるいは前記ブレーカに固定する、ことを特徴とするサージアブソーバである。
【００１２】
請求項１に記載の発明によれば、電力量計あるいはブレーカの端子に接続子が当接するように本体部を配置すると、この本体部から電力量計あるいはブレーカの幅方向に沿って一対の挟持アームの第１のアーム部が延び、第１のアーム部から電力量計あるいはブレーカに向けて第２のアーム部が延び、第２のアーム部から電力量計あるいはブレーカの側面に向けて第３のアーム部が延びるように、一対の挟持アームが配される。一対の挟持アームは、第３のアーム部により電力量計あるいはブレーカをその両側面側から挟み込むことにより、本体部を電力量計あるいはブレーカに固定する。
【００１３】
請求項２に記載の発明は、請求項１に記載のサージアブソーバであり、前記第２のアーム部は、前記電力量計あるいは前記ブレーカの幅方向に移動自在であり、前記本体部に対する角度が調節可能なように前記第１のアーム部に保持されていて、かつ伸縮自在である、ことを特徴とする。
【００１４】
請求項３に記載の発明は、電力量計あるいはブレーカの端子に当接される接続子と、前記接続子を保持する本体部と、前記本体部に収容されて前記接続子と接続し、前記接続子を介して前記端子からサージを吸収するサージ吸収回路と、を備えるサージアブソーバを、前記電力量計あるいは前記ブレーカに固定するサージアブソーバ用固定装置であって、前記接続子が前記端子に当接するように前記本体部が配されている状態で、前記本体部から前記電力量計あるいは前記ブレーカの幅方向に延びる第１のアーム部と、前記第１のアーム部から前記電力量計あるいは前記ブレーカに向けて延びる第２のアーム部と、前記第２のアーム部から前記電力量計あるいは前記ブレーカの側面に向けて延びる第３のアーム部と、を備える一対の挟持アームと、前記一対の挟持アームを前記本体部に着脱自在に取り付ける取付部と、を備え、前記第３のアーム部で前記電力量計あるいは前記ブレーカをその両側面側から挟み込み、前記本体部を前記電力量計あるいは前記ブレーカに固定する、ことを特徴とするサージアブソーバ用固定装置である。
【００１５】
請求項３に記載の発明によれば、取付部を利用してサージアブソーバ用固定装置をサージアブソーバの本体部に取り付けてから、電力量計あるいはブレーカの端子に対して接続子が当接するように本体部を配置する。すると、本体部から電力量計あるいはブレーカの幅方向に沿って一対の挟持アームの第１のアーム部が延び、第１のアーム部から電力量計あるいはブレーカに向けて第２のアーム部が延び、第２のアーム部から電力量計あるいはブレーカの側面に向けて第３のアーム部が延びるように一対の挟持アームが配される。一対の挟持アームは、第３のアーム部により電力量計あるいはブレーカをその両側面側から挟み込むことにより、本体部を電力量計あるいはブレーカに固定する。
【発明の効果】
【００１６】
請求項１および請求項３に記載の発明によれば、サージアブソーバの接続子と電力量計あるいはブレーカの端子とが当接するように、サージアブソーバを電力量計あるいはブレーカに固定することができるので、需要家宅を電力量計で作業停電させる際に、作業者がサージアブソーバを把持する必要がなくなる。したがって、作業者は、電力量計の一次側端子から電線を引き抜く作業を両手で行うことが可能になるので、接続子が二次側端子からズレたり、一次側端子から引き抜いた電線を短絡させたりするような作業ミスの発生を少なくすることが可能となる。
【００１７】
また、サージアブソーバは、本体部から電力量計あるいはブレーカの幅方向に延びる第１のアーム部と、第１のアーム部から電力量計あるいはブレーカに向けて延びる第２のアーム部と、第２のアーム部から電力量計あるいはブレーカの側面に向けて延びる第３のアーム部からなる一対の挟持アームで電力量計等をその両側面側から挟み込むので、電力量計等の正面側が挟持アームによって隠れない。したがって、電力量計の一次側端子から電線を引き抜く際や、ブレーカを操作する際に挟持アームは邪魔にならない。
【００１８】
請求項２に記載の発明によれば、第２のアーム部は、電力量計等の幅方向に沿って移動自在で、本体部に対する角度が調節可能なように第１のアーム部に保持されており、さらに伸縮自在になっているので、様々なサイズの電力量計やブレーカに合わせて挟持する幅を調整し、二次側端子の位置に応じてサージアブソーバの位置を調節することが可能である。したがって、サージアブソーバの固定位置を調整することにより、接続子と二次側端子とをしっかりと当接させることが可能である。
【００１９】
さらに、請求項３に記載の発明によれば、既製のサージアブソーバを電力量計およびブレーカに固定することができるので、既製のサージアブソーバを利用して需要家宅を作業停電させる場合でも、両手で作業を行うことができるようになる。
【図面の簡単な説明】
【００２０】
【図１】この発明の実施の形態１に係るサージアブソーバの構成を示す外観斜視図である。
【図２】図１のサージアブソーバを電力量計に固定した状態を示す斜視図である。
【図３】この発明の実施の形態２に係るサージアブソーバの構成を示す外観斜視図である。
【図４】図３のサージアブソーバを電力量計に固定した状態を示す斜視図である。
【図５】この発明の実施の形態３に係るサージアブソーバ用固定装置の構成を示す外観斜視図である。
【図６】従来のサージアブソーバの構成を示す外観斜視図である。
【図７】需要家宅の配線例を示す概略図である。
【図８】従来のサージアブソーバを電力量計に取り付けて作業停電させている状態を示す斜視図である。
【発明を実施するための形態】
【００２１】
以下、この発明を図示の実施の形態に基づいて説明する。
【００２２】
（実施の形態１）
図１、図２は、この実施の形態を示し、図１は、この実施の形態に係るサージアブソーバ１を示す外観斜視図であり、図２は、サージアブソーバ１を電力量計７に固定した状態を示す外観斜視図である。サージアブソーバ１は、いわゆる接触式のサージアブソーバであり、電力量計７あるいはブレーカの二次側端子７３ｂに当接される接続子１１と、接続子１１を保持する本体部１２と、本体部１２内に収容されたサージ吸収回路１３とを備える。接続子１１は、本体部１２内でサージ吸収回路１３と接続されており、サージ吸収回路１３は、接続子１１を介して電力量計７の二次側端子７３ｂからサージを吸収する。
【００２３】
接続子１１は、導電性を有する金属で形成された細い丸棒状（ピン状）の電極であり、単相３線の配線に対応するために３本設けられている。各接続子１１は、当接する二次側端子に合わせて位置が調整できるように、本体部１２の幅方向でスライド自在となっている。
【００２４】
本体部１２は、例えば、矩形の箱状体であり、絶縁性を有するプラスチックなどで形成されている。本体部１２内には、サージ吸収回路１３を収容するための収容空間が設けられている。本体部１２の長方形状の正面１２ａには、３本の接続子１１が正面１２ａに対して垂直に突出されている。したがって、接続子１１を電力量計７の正面側に設けられている二次側端子７３ｂに当接させる際には、本体部１２の正面１２ａと電力量計７の正面側とが対面することになる。本体部１２の正面１２ａに直交する両側面１２ｂには、一対の挟持アーム２が設けられている。
【００２５】
挟持アーム２は、接続子１１が電力量計７の二次側端子７３ｂに当接するように本体部１２が電力量計７の正面側に配置されている状態を想定し、この本体部１２から電力量計７の幅方向に延びる第１のアーム部２１と、第１のアーム部２１から電力量計７に向けて延びる第２のアーム部２２と、第２のアーム部２２から電力量計７の側面に向けて延びる第３のアーム部２３とを備える。すなわち、第１のアーム部２１は、本体部１２の正面１２ａと平行かつ側面１２ｂから垂直に延び、第２のアーム部２２は、第１のアーム部２１に対して直交するように延び、第３のアーム部２３は、第１のアーム部２１と平行に延びている。
【００２６】
第１のアーム部２１は、本体部１２に対して回動自在に支持されている。第２のアーム部２２は、伸縮自在であり、電力量計７の幅方向に移動自在、かつ本体部１２に対する角度が調節可能なように第１のアーム部２１に保持されている。第３のアーム部２３は、電力量計７の幅方向に沿って移動自在に第２のアーム部２２に保持されている。
【００２７】
すなわち、挟持アーム２は、本体部１２の長手方向に沿う軸心の周りで回動自在であり、本体部１２に対する配置角度が調整可能となっている。また、第２のアーム部２２は、本体部１２の幅方向に沿って移動自在であり、第１のアーム部２１に対して直交する方向に沿って伸縮自在である。したがって、第２のアーム部２２は、電力量計７の幅に応じて位置が調整可能であり、接続子１１から二次側端子７３ｂまでの距離に応じて長さが調整可能となっている。第３のアーム部２３は、第１のアーム部２１と平行かつ第２のアーム部２２と直交する方向に移動自在である。したがって、第３のアーム部２３は、電力量計７の幅に応じて第２のアーム部２２に対する長さが調整可能である。
【００２８】
第１のアーム部２１は、金属製の丸棒の外周面にネジ山が形成されたネジ軸であり、一端側が本体部１２に回動自在に保持されている。また、第１のアーム部２１の他端側には、第１のアーム部２１を回動操作するための摘み２１ａが設けられている。第１のアーム部２１の長さは、サイズの異なる電力量計７やブレーカに対してサージアブソーバ１が固定可能なように設定されている。具体的には、需要家宅で利用されている小型のブレーカから、スマートメータなどの大型の電力量計までの幅寸法を考慮し、これらの多種類の電力量計およびブレーカをその両側面側から挟持可能なように第１のアーム部２１の長さが設定されている。
【００２９】
第２のアーム部２２は、角筒状の外筒部材２２ａと、外筒部材２２ａにスライド自在に挿入された延長アーム２２ｂからなり、延長アーム２２ｂが外筒部材２２ａに対して挿脱されることで第２のアーム部２２が伸縮可能となっている。外筒部材２２ａの一端側（延長アーム２２ｂが挿入される側）には、固定ネジ２２ｃが螺合されている。この固定ネジ２２ｃの先端は外筒部材２２ａ内まで挿通されており、固定ネジ２２ｃを緩めて外筒部材２２ａ内に突出しないようにすると延長アーム２２ｂが挿脱可能になる。これとは逆に、固定ネジ２２ｃを締めて延長アーム２２ｂに突き当てると、延長アーム２２ｂは外筒部材２２ａに対して挿脱できないように位置が固定される。
【００３０】
外筒部材２２ａの他端側には、第１のアーム部２１と螺合するナット２２ｄが組み込まれている。したがって、例えば、図中右側の第１のアーム部２１が時計方向に回動されると、第２のアーム部２２は図中右方（摘み２１ａ側、幅が広がる側）に移動し、これとは逆に第１のアーム部２１が反時計方向に回動されると、第２のアーム部２２は図中左方（本体部１２側、幅が狭まる側）に移動する。
【００３１】
第２のアーム部２２の長さは、サイズの異なる電力量計７やブレーカの二次側端子７３ｂに接続子１１が当接可能なように設定されている。具体的には、需要家宅で利用されている小型のブレーカからスマートメータなどの大型の電力量計における二次側端子の位置と、接続子１１の長さとを考慮し、これらの多種類の電力量計およびブレーカの二次側端子に接続子１１が当接可能なように第２のアーム部２２の長さが設定されている。
【００３２】
第３のアーム部２３は、金属製の丸棒の外周面にネジ山が形成されたネジ軸であり、一端側には、第３のアーム部２３を回動操作するための摘み２３ａが設けられている。また、第３のアーム部２３の他端側には、電力量計７の側面との当接面積を増やして挟持力を増すために、円板状の当接部２３ｂが設けられている。第３のアーム部２３は、延長アーム２２ｂの一端側に組み込まれたナット２２ｅに螺合している。したがって、図中右側の第３のアーム部２３が時計方向に回動されると、第３のアーム部２３は図中左方（幅が狭まる側）に移動し、これとは逆に第３のアーム部２３が反時計方向に回動されると、第３のアーム部２３は図中右方（幅が広がる側）に移動する。第３のアーム部２３の調整機能は、例えば、挟持力を微調整する際に利用される。
【００３３】
次に、上記実施の形態の作用について、図７（Ｂ）に示す需要家宅Ｈ２を電力量計７によって作業停電させる場合を例に説明する。
【００３４】
電力量計７で需要家宅Ｈ２の電源を遮断する際には、電力量計７の二次側端子７３ｂにサージアブソーバ１が取り付けられる。サージアブソーバ１は、交換対象である電力量計７の幅、二次側端子７３ｂの位置および接続子１１の長さに応じて、摘み２１ａおよび固定ネジ２２ｃが操作され、本体部１２に対する第２のアーム部２２の位置および長さが調整される。また、電力量計７の挟持力を微調整するために、摘み２３ａが操作されて第２のアーム部２２に対する第３のアーム部２３の突出量が調整される。
【００３５】
これにより、サージアブソーバ１は、図２に示すように、一対の挟持アーム２によって電力量計７を両側面側から挟み込み、接続子１１を二次側端子７３ｂに当接させた状態で電力量計７に固定される。
【００３６】
このように、接続子１１と二次側端子７３ｂとが当接するようにサージアブソーバ１を電力量計７に固定することができるので、需要家宅を電力量計７で作業停電させる際に、作業者がサージアブソーバ１を把持する必要がなくなる。したがって、作業者は、電力量計７の一次側端子７３ａから電線７４ａを引き抜く作業を両手で行うことが可能になるので、接続子１１が二次側端子７３ｂからズレたり、一次側端子７３ａから引き抜いた電線７４ａを短絡させたりするような作業ミスの発生を少なくすることが可能となる。
【００３７】
また、サージアブソーバ１は、本体部１２から電力量計７の幅方向に延びる第１のアーム部２１と、第１のアーム部２１から電力量計７に向けて延びる第２のアーム部２２と、第２のアーム部２２から電力量計７の側面に向けて延びる第３のアーム部２３とからなる一対の挟持アーム２により、電力量計７をその両側面側から挟み込むので、電力量計７の正面側が挟持アーム２によって隠れない。したがって、電力量計７から電線７４ａを引き抜く際に挟持アーム２は邪魔にならない。
【００３８】
さらに、第２のアーム部２２は、電力量計７の幅方向に沿って移動自在で、かつ本体部１２に対する角度が調節可能なように第１のアーム部２１に保持されており、さらに伸縮自在になっているので、様々なサイズの電力量計７やブレーカに合わせて挟持する幅を調整し、二次側端子の位置に応じてサージアブソーバ１の固定位置を調節することが可能である。したがって、接続子１１と二次側端子７３ｂとをしっかりと当接させることが可能である。
【００３９】
（実施の形態２）
図３、図４は、この実施の形態を示し、図３は、この実施の形態に係るサージアブソーバ３を示す外観斜視図であり、図４は、サージアブソーバ３を電力量計７に固定した状態を示す外観斜視図である。この実施の形態では、バネの付勢力によって電力量計７を挟持する挟持アーム４を備える点で実施の形態１と構成が異なり、実施の形態１と同等の構成については、同一符号を付することでその説明を省略する。
【００４０】
挟持アーム４は、接続子１１が電力量計７の二次側端子７３ｂに当接するように本体部１２が電力量計７の正面側に配置されている状態を想定し、この本体部１２から電力量計７の幅方向に延びる第１のアーム部４１と、第１のアーム部４１から電力量計７に向けて延びる第２のアーム部４２と、第２のアーム部４２から電力量計７の側面に向けて延びる第３のアーム部４３とを備える。すなわち、第１のアーム部４１は、本体部１２の正面１２ａと平行かつ側面１２ｂから垂直に延び、第２のアーム部４２は、第１のアーム部４１に対して直交するように延び、第３のアーム部４３は、第１のアーム部４１と平行に延びている。
【００４１】
第１のアーム部４１は、本体部１２の側面１２ｂから垂直に突出された円筒部４１ａと、円筒部４１ａ内に収容されたバネ４１ｂとを備える。第２のアーム部４２は、円筒部４１ａの外周に回動自在かつスライド自在に嵌合される外筒部４２ａと、外筒部４２ａから側面１２ｂと平行に突出された角筒部４２ｂと、角筒部４２ｂに挿入された延長アーム４２ｃと、角筒部４２ｂに対して延長アーム４２ｃを固定する固定ネジ４２ｄとを備える。外筒部４２ａの端部には、第２のアーム部４２を牽引操作するための摘み４２ｅが設けられている。第３のアーム部４３は、延長アーム４２ｃの端部から電力量計７の側面に向けて突出された突部によって構成されている。
【００４２】
第２のアーム部４２は、本体部１２に対する角度が調節可能なように第１のアーム部４１に保持されている。したがって、挟持アーム４は、本体部１２の長手方向に沿う軸心の周りで回動自在であり、本体部１２に対する配置角度が調整可能となっている。また、第２のアーム部４２は、本体部１２の幅方向に沿って移動自在であり、第１のアーム部４１に対して直交する方向に沿って伸縮自在である。したがって、第２のアーム部４２は、電力量計７の幅に応じて位置が調整可能であり、接続子１１から二次側端子７３ｂまでの距離に応じて長さが調整可能となっている。
【００４３】
バネ４１ｂは、コイル状の引っ張りバネであり、一端４１ｃが円筒部４１ａ内で本体部１２の側面１２ｂに係止され、他端４１ｄが外筒部４２ａ内に係止されている。すなわち、バネ４１ｂは、第２のアーム部４２を本体部１２側（挟持アーム２の幅が狭くなる側）に向けて付勢している。
【００４４】
このサージアブソーバ３は、第２のアーム部４２の摘み４２ｅをバネ４１ｂの付勢に抗して牽引することにより一対の挟持アーム４の間隔を広げ、第３のアーム部４３が電力量計７の両側面に対面するようにサージアブソーバ３を配置する。そして、摘み４２ｅの牽引を止めることにより、バネ４１ｂの付勢によって挟持アーム４の間隔が狭まり、第３のアーム部４３によって電力量計７が両側面側から挟み込まれる。これにより、図４示すように、サージアブソーバ３は、接続子１１が二次側端子７３ｂに当接した状態で電力量計７に固定される。
【００４５】
このように、本実施の形態に係るサージアブソーバ３は、接続子１１と二次側端子７３ｂとが当接するようにサージアブソーバ３を電力量計７に固定することができるので、需要家宅を電力量計７で作業停電させる際に、作業者がサージアブソーバ３を把持する必要がなくなる。したがって、作業者は、電力量計７の一次側端子７３ａから電線７４ａを引き抜く作業を両手で行うことが可能になるので、接続子１１が二次側端子７３ｂからズレたり、一次側端子７３ａから引き抜いた電線７４ａを短絡させたりするような作業ミスの発生を少なくすることが可能となる。
【００４６】
また、サージアブソーバ３は、本体部１２から電力量計７の幅方向に延びる第１のアーム部４１と、第１のアーム部４１から電力量計７に向けて延びる第２のアーム部４２と、第２のアーム部４２から電力量計７の側面に向けて延びる第３のアーム部４３とからなる一対の挟持アーム４により、電力量計７をその両側面側から挟み込むので、電力量計７の正面側が挟持アーム４によって隠れない。したがって、電力量計７から電線７４ａを引き抜く際に挟持アーム４は邪魔にならない。
【００４７】
さらに、第２のアーム部４２は、電力量計７の幅方向に沿って移動自在で、かつ本体部１２に対する角度が調節可能なように第１のアーム部４１に保持されており、さらに伸縮自在になっているので、様々なサイズの電力量計７やブレーカに合わせて挟持する幅を調整し、二次側端子の位置に応じてサージアブソーバ３の固定位置を調節することが可能である。したがって、接続子１１と二次側端子７３ｂとをしっかりと当接させることが可能である。
【００４８】
また、第２のアーム部４２は、バネ４１ｂの付勢によって電力量計７等をその両側面側から挟み込むことができるので、実施の形態１のサージアブソーバ１のように、ネジ軸を回動させて挟持アーム２の間隔を調整する場合に比べ、より迅速かつ簡単にサージアブソーバ３を電力量計７に固定することが可能となる。
【００４９】
（実施の形態３）
図５は、この実施の形態を示し、既製のサージアブソーバ６に装着可能なサージアブソーバ用固定装置（以下、固定装置という）５を示す外観斜視図である。固定装置５は、実施の形態１で説明した一対の挟持アーム２と、この挟持アーム２が両側面に取り付けられた取付部５１とを備える。取付部５１は、既製のサージアブソーバ６がその正面側から挿入可能な開口部５１ａを有する矩形の枠状体である。取付部５１の上部には、ネジの先端をサージアブソーバ６に突き当てて固定装置５をサージアブソーバ６に固定するための固定ネジ５１ｂが設けられている。
【００５０】
この固定装置５は、実施の形態１で説明したサージアブソーバ１と同様の挟持アーム２を備えるので、サージアブソーバ１と同様に、既製のサージアブソーバ６を電力量計７あるいはブレーカに固定することが可能である。
【００５１】
以上、この発明の実施の形態について説明したが、具体的な構成は、上記の実施の形態に限られるものではなく、この発明の要旨を逸脱しない範囲の設計の変更等があっても、この発明に含まれる。例えば、上記の各実施の形態では、サージアブソーバを電力量計７に固定する場合について説明したが、本発明のサージアブソーバおよび固定装置は、ブレーカ等の遮断器に対する固定にも利用可能である。また、ピン状の接続子を備える接触式のサージアブソーバを例に説明したが、ワニ口クリップを備えるクリップ式のサージアブソーバの固定にも利用可能である。
【符号の説明】
【００５２】
１、３、６      サージアブソーバ
１１            接続子
２、４          挟持アーム
２１、４１      第１のアーム部
２２、４２      第２のアーム部
２３、４３      第３のアーム部
５              サージアブソーバ用固定装置
７              電力量計
７３ｂ          二次側端子
【図１】
2018124245.tif 000003
【図２】
2018124245.tif 000004
【図３】
2018124245.tif 000005
【図４】
2018124245.tif 000006
【図５】
2018124245.tif 000007
【図６】
2018124245.tif 000008
【図７】
2018124245.tif 000009
【図８】
2018124245.tif 000010